(57)【要約】【課題】機器の最大入力電流以外の入力電流も精度よく制御を行うこと。【解決手段】Ｉｉｎ調整モード制御手段１２は第一信号を入力すると入力電流制御手段１０に入力電流を第一入力電流値Ｉ１に変更させ、その時に入力電流検知手段９が出力する第一の検出値Ｔ１を第一の記憶手段１３に記憶し、Ｉｉｎ調整モード中に第二信号を入力すると入力電流を第一入力電流値Ｉ１より小さい第二入力電流値Ｉ２に変更させ、入力電流検知手段９が出力する第二の検出値Ｔ２を第二の記憶手段１４に記憶し、入力電流補正手段１１は第一入力電流値Ｉ１及び第一の検出値Ｔ１と第二入力電流値Ｉ２及び第二の検出値Ｔ２より入力電流値と検出値との関係を直線近似して補正後検出値Ｉ３を求めて検出値を設定値に対応した補正後検出値Ｉ３に補正し、入力電流制御手段１０は補正後検出値Ｉ３が前記設定値になるように制御すること。【選択図】図１
2012248395.tif 000002
【特許請求の範囲】
【請求項１】
外郭を構成する本体と、前記本体の上面に設けた天板と、前記天板上に載置された被加熱物を高周波電流により誘導加熱する加熱コイルと、前記加熱コイルに高周波電流を供給するインバータ回路と、前記インバータ回路へ入力される入力電流を検知する入力電流検知手段と、前記入力電流検知手段が出力する検出値が複数の設定値の中から選択された設定値になるように前記インバータ回路の動作を制御する入力電流制御手段と、前記入力電流検知手段から出力された前記検出値を補正し前記入力電流制御手段に補正後検出値を出力する入力電流補正手段と、信号を入力する入力端子を有しＩｉｎ調整モードの制御を行うＩｉｎ調整モード制御手段と、を備え、前記Ｉｉｎ調整モード制御手段は前記入力端子から開始信号を入力すると前記入力電流制御手段の制御をＩｉｎ調整モードに移行させるとともに、前記Ｉｉｎ調整モード中に前記入力端子から第一信号を入力すると前記入力電流制御手段に前記第一信号の指示に基づき入力電流を第一入力電流値に変更させその時に前記入力電流検知手段が出力する第一の検出値を第一の記憶手段に記憶し、前記Ｉｉｎ調整モード中に前記入力端子から第二信号を入力すると前記入力電流制御手段に前記第二信号の指示に基づき入力電流を前記第一入力電流値より小さい第二入力電流値に変更させその時に前記入力電流検知手段が出力する第二の検出値を第二の記憶手段に記憶し、前記入力電流補正手段は前記第一入力電流値及び前記第一の検出値と前記第二入力電流値及び前記第二の検出値より入力電流値と前記検出値との関係を直線近似して前記補正後検出値を求めて前記検出値を前記設定値に対応した前記補正後検出値に補正し、前記入力電流制御手段は前記補正後検出値が前記設定値になるように制御する誘導加熱調理器。
【請求項２】
Ｉｉｎ調整モード制御手段はＩｉｎ調整モード中に入力端子から第二信号を入力すると入力電流制御手段に前記第二信号の指示に基づき入力電流を第一入力電流値より小さい第二入力電流値に変更させその時に入力電流検知手段が出力する第二の検出値を第二の記憶手段に記憶することに代え、インバータ回路の動作が停止中に前記入力電流検知手段が出力する前記第二の検出値を前記第二の記憶手段に記憶し、入力電流補正手段は前記第一入力電流値及び前記第二入力電流値と第一の検出値及び前記第二の検出値より入力電流値と検出値との関係を直線近似して補正後検出値を求めて前記検出値を設定値に対応した前記補正後検出値に補正することに代え、前記入力電流補正手段は前記第一電流値及び前記第一の検出値と０及び前記第二の検出値より入力電流値と前記検出値との関係を直線近似して前記補正後検出値を求めて前記検出値を前記設定値に対応した前記補正後検出値に補正する請求項１に記載の誘導加熱調理器。
【請求項３】
第一入力電流値が機器の最大入力電流値とする請求項１または２に記載の誘導加熱調理器。
【発明の詳細な説明】
【技術分野】
【０００１】
本発明は、誘導加熱調理器の入力電流の補正制御に関するものである。
【背景技術】
【０００２】
従来、この種の誘導加熱調理器は、入力電流の補正制御を行う時、商用電源から供給される入力が設定最大入力電流の時の入力電流検出手段からの検出値を記憶手段に記憶し、前記検出値より入力電流を制御する構成となっている（例えば、特許文献１参照）。
【０００３】
図４は、特許文献１に記載された従来の誘導加熱調理器のブロック図である。図４において、周波数変換装置２９のメイン回路は商用電源３０を整流する整流器３１と、フィルタコイル３２と、フィルタコンデンサ３３と、共振コンデンサ３４と、このコンデンサに並列に接用された加熱コイル３５と、スイッチングトランジスタ３６により構成されている。
【０００４】
一方、周波数変換装置２９の制御部には、入力電流を検知するカレントトランスを含む第一の入力電流検知回路１７の出力電圧をデジタル信号に変換し、マイクロコンピュータ１９に入力するＡ／Ｄ変換器１８と、スイッチングトランジスタ３６のコレクタ電圧を検知するコレクタ電圧検知回路２０の出力電圧をデジタル信号に変換しマイクロコンピュータ１９に入力するＡ／Ｄ変換器２１と、不揮発性デジタル記憶素子からなる設定値記憶回路２２と、補正スタートスイッチ２３が設けられている。
【０００５】
さらに、機器外部に設置され、入力電流を検知する第二の入力電流検知回路２４により検知され、Ａ／Ｄ変換器２５によりデジタル化された検知信号を入力する入力端子２６が制御部に配設されている。この入力端子２６から入力された信号はマイクロコンピュータ１９に入力される。第二の入力電流検知回路２４の出力電圧及びＡ／Ｄ変換器２５の出力電圧は、所定の入力電流と出力電圧の関係が正確に得られるように精度よく軟正されている。
【先行技術文献】
【特許文献】
【０００６】
【特許文献１】特開平２−２７０２９２号公報
【発明の概要】
【発明が解決しようとする課題】
【０００７】
しかしながら、前記従来の構成では、入力電流の補正制御を行う時、商品毎の性能のばらつきによる最大入力電流以外の入力電流値の誤差を考慮していないので、機器の低入力電流の性能にばらつきがでたときに、最大入力電流以外の入力電流値（特に、低電流時）を精度よく制御することができないという課題を有していた。
【０００８】
本発明は、前記従来の課題を解決するもので、最大入力電流だけではなく最大入力電流以外の入力電流も精度よく制御できる誘導加熱調理器を提供することを目的とする。
【課題を解決するための手段】
【０００９】
前記従来の課題を解決するために、本発明の誘導加熱調理器は、外郭を構成する本体と、前記本体の上面に設けた天板と、前記天板上に載置された被加熱物を高周波電流により誘導加熱する加熱コイルと、前記加熱コイルに高周波電流を供給するインバータ回路と、前記インバータ回路へ入力される入力電流を検知する入力電流検知手段と、前記入力電流
検知手段が出力する検出値が複数の設定値の中から選択された設定値になるように前記インバータ回路の動作を制御する入力電流制御手段と、前記入力電流検知手段から出力された前記検出値を補正し前記入力電流制御手段に補正後検出値を出力する入力電流補正手段と、信号を入力する入力端子を有しＩｉｎ調整モードの制御を行うＩｉｎ調整モード制御手段と、を備え、前記Ｉｉｎ調整モード制御手段は前記入力端子から開始信号を入力すると前記入力電流制御手段の制御をＩｉｎ調整モードに移行させるとともに、前記Ｉｉｎ調整モード中に前記入力端子から第一信号を入力すると前記入力電流制御手段に前記第一信号の指示に基づき入力電流を第一入力電流値に変更させその時に前記入力電流検知手段が出力する第一の検出値を第一の記憶手段に記憶し、前記Ｉｉｎ調整モード中に前記入力端子から第二信号を入力すると前記入力電流制御手段に前記第二信号の指示に基づき入力電流を前記第一入力電流値より小さい第二入力電流値に変更させその時に前記入力電流検知手段が出力する第二の検出値を第二の記憶手段に記憶し、前記入力電流補正手段は前記第一入力電流値及び前記第二入力電流値と前記第一の検出値及び前記第二の検出値より入力電流値と前記検出値との関係を直線近似して前記補正後検出値を求めて前記検出値を前記設定値に対応した前記補正後検出値に補正し、前記入力電流制御手段は前記補正後検出値が前記設定値になるように制御したものである。
【００１０】
これによって前記第一入力電流値と前記第二入力電流値以外の入力電流を入力するときの検出値も精度よく予測でき、どのレベルの入力電流値も精度よく入力することができる。
【発明の効果】
【００１１】
本発明の誘導加熱調理器は、どのレベルの入力電流値でも精度よく入力することができる。
【図面の簡単な説明】
【００１２】
【図１】本発明の実施の形態１における誘導加熱調理器の構成を示すブロック図
【図２】本発明の実施の形態１における誘導加熱調理器の入力電流補正手段で行う補正の入力電流値と検出値との関係を示した補正図
【図３】本発明の実施の形態１における誘導加熱調理器の入力電流値と検出値の実際の関係線Ｌ０と第一近似直線Ｌ１と従来技術で入力電流値と検出値との関係を直線近似した線Ｌ２の関係を示した関係図
【図４】従来の誘導加熱調理器のブロック図
【発明を実施するための形態】
【００１３】
第１の発明は、外郭を構成する本体と、前記本体の上面に設けた天板と、前記天板上に載置された被加熱物を高周波電流により誘導加熱する加熱コイルと、前記加熱コイルに高周波電流を供給するインバータ回路と、前記インバータ回路へ入力される入力電流を検知する入力電流検知手段と、前記入力電流検知手段が出力する検出値が複数の設定値の中から選択された設定値になるように前記インバータ回路の動作を制御する入力電流制御手段と、前記入力電流検知手段から出力された前記検出値を補正し前記入力電流制御手段に補正後検出値を出力する入力電流補正手段と、信号を入力する入力端子を有しＩｉｎ調整モードの制御を行うＩｉｎ調整モード制御手段と、を備え、前記Ｉｉｎ調整モード制御手段は前記入力端子から開始信号を入力すると前記入力電流制御手段の制御をＩｉｎ調整モードに移行させるとともに、前記Ｉｉｎ調整モード中に前記入力端子から第一信号を入力すると前記入力電流制御手段に前記第一信号の指示に基づき入力電流を第一入力電流値に変更させその時に前記入力電流検知手段が出力する第一の検出値を第一の記憶手段に記憶し、前記Ｉｉｎ調整モード中に前記入力端子から第二信号を入力すると前記入力電流制御手段に前記第二信号の指示に基づき入力電流を前記第一入力電流値より小さい第二入力電流値に変更させ、その時に前記入力電流検知手段が出力する第二の検出値を第二の記憶手段
に記憶し、前記入力電流補正手段は前記第一入力電流値及び前記第二入力電流値と前記第一の検出値及び前記第二の検出値より入力電流値と前記検出値との関係を直線近似して前記補正後検出値を求めて前記検出値を前記設定値に対応した前記補正後検出値に補正し、前記入力電流制御手段は前記補正後検出値が前記設定値になるように制御するものである。
【００１４】
これによって、前記第一入力電流値と前記第二入力電流値以外の所定の入力電流を入力するときの検出値を精度よく予測でき、それに基づき制御することで、どのレベルの入力電流値も精度よく制御することができる。
【００１５】
第２の発明は、特に、第１の発明のＩｉｎ調整モード制御手段はＩｉｎ調整モード中に入力端子から第二信号を入力すると入力電流制御手段に前記第二信号の指示に基づき入力電流を第一入力電流値より小さい第二入力電流値に変更させ、その時に入力電流検知手段が出力する第二の検出値を第二の記憶手段に記憶することに代え、インバータ回路の動作が停止中に前記入力電流検知手段が出力する前記第二の検出値を前記第二の記憶手段に記憶し、入力電流補正手段は前記第一入力電流値及び前記第二入力電流値と第一の検出値及び前記第二の検出値より入力電流値と検出値との関係を直線近似して補正後検出値を求めて前記検出値を設定値に対応した前記補正後検出値に補正することに代え、前記入力電流補正手段は前記第一電流値及び前記第一の検出値と０及び前記第二の検出値より入力電流値と前記検出値との関係を直線近似して前記補正後検出値を求めて前記検出値を前記設定値に対応した前記補正後検出値に補正することにより、第二信号を削除することができ作業の効率化を図ることができる。
【００１６】
第３の発明は、特に、第１または第２の発明の第一入力電流値を機器の最大入力電流にすることにより、第一入力電流値と第二入力電流値の差を大きくすることができ、前記差が狭い時と比べて総合的により精度よく入力電流を制御することができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における誘導加熱調理機器の構成を示すブロック図示すものである。
【００１９】
図１において、商用電源１、整流器２、プリント配線基板３、外郭を構成する本体４と、本体４の上面に設けた天板５、天板５上に載置された被加熱物６、被加熱物６を高周波電流により誘導加熱する加熱コイル７、加熱コイル７に高周波電流を供給するインバータ回路８、インバータ回路８へ入力される入力電流を検知する入力電流検知手段９、入力電流検知手段９が出力する検出値が複数の設定値の中から選択された設定値になるようにインバータ回路８の動作を制御する入力電流制御手段１０、入力電流検知手段９から出力された検出値を補正し入力電流制御手段１０に補正後検出値を出力する入力電流補正手段１１、信号を入力する入力端子１２ａを有しＩｉｎ調整モードの制御を行うＩｉｎ調整モード制御手段１２、入力電流検知手段９が出力する第一の検出値を記憶する第一の記憶手段１３、入力電流検知手段９が出力する第二の検出値を記憶する第二の記憶手段１４で構成している。
【００２０】
以上のように構成された誘導加熱調理器について、以下その動作、作用を説明する。
【００２１】
まず、Ｉｉｎ調整モード制御手段１２は入力端子１２ａから開始信号を入力すると入力電流制御手段１０の制御をＩｉｎ調整モードに移行させるとともに、前記Ｉｉｎ調整モー
ド中に入力端子１２ａから第一信号を入力すると入力電流制御手段１０に前記第一信号の指示に基づき入力電流を第一入力電流値に変更させ、その時に入力電流検知手段９が出力する第一の検出値を第一の記憶手段１３に記憶し、前記Ｉｉｎ調整モード中に入力端子１２ａから第二信号を入力すると入力電流制御手段１０に前記第二信号の指示に基づき入力電流を前記第一入力電流値より小さい第二入力電流値に変更させその時に入力電流検知手段９が出力する第二の検出値を第二の記憶手段１４に記憶する。
【００２２】
なお、前記開始信号は前記第一信号又は前記第二信号と同じでもよいし、異なる信号でもよい。なお前記Ｉｉｎ調整モードとは入力端子１２ａに信号が入力された時に以下のｉとｉｉの動作を行うモードの事を指し、ｉとｉｉは順序不同である。
ｉ：入力端子１２ａに入力する信号に基づき入力電流を前記第一入力電流に変化させるとともに、その時の、入力電流検知手段９が出力する前記第一検出値を前記第一の記憶手段１３に記憶させる。
ｉｉ：入力端子１２ａに入力する信号に基づき入力電流を前記第二入力電流に変化させるとともに、その時の、入力電流検知手段９が出力する前記第二検出値を前記第二の記憶手段１４に記憶させる。
【００２３】
図２は本発明の第１の実施の形態における誘導加熱調理器の入力電流補正手段１１で行う補正の入力電流値と前記検出値との関係を示した補正図であり、図２を用いて入力電流補正手段１１について説明する。
【００２４】
図２において、Ｌ０は性能にばらつきが出た機器の入力電流値と入力電流が前記入力電流値の時の入力電流検知手段９が出力する検出値との関係を示した実際の特性であり、Ｌ１は第一入力電流値Ｉ１及び第一の検出値Ｔ１と第二入力電流値Ｉ２及び第二の検出値Ｔ２より入力電流値と検出値との関係を直線近似した第一近似直線である。
【００２５】
入力電流補正手段１１は第一近似直線Ｌ１より補正後検出値Ｉ３を求めて検出値Ｔ３を前記設定値に対応した補正後検出値Ｉ３に補正している。
入力電流制御手段１０は補正後検出値Ｉ３が前記設定値になるように制御する。
【００２６】
以上のように、本実施の形態において、入力電流補正手段１１は第一入力電流値Ｉ１及び第一の検出値Ｔ１と第二入力電流値Ｉ２及び第二の検出値Ｔ２より入力電流値と検出値との関係を直線近似することで、実際の関係線Ｌ０と第一近似直線Ｌ１の差を小さくすることができ、第一近似直線Ｌ１より検出値Ｔ３を補正後検出値Ｉ３に補正し、補正後検出値Ｉ３が前記設定値になるように制御することにより、どのレベルの入力電流値も精度よく制御することができる。
【００２７】
図３を用いて従来技術と比較して説明する。図３は本発明の第１の実施の形態における誘導加熱調理器の入力電流値と検出値の実際の関係線Ｌ０と第一近似直線Ｌ１と従来技術で入力電流値と検出値との関係を直線近似した線Ｌ２の関係を示した関係図である。
【００２８】
図３において、Ｉ４は機器の最大入力電流値、Ｔ４は入力電流が前記機器の最大入力電流値の時に入力電流検知手段９が出力する検出値であり、Ｔ５は機器が入力電流補正手段１１に初期から機器の入力電流が０の時の検出値として推定している変動不能なあらかじめ設定されている固定値である。
【００２９】
Ｌ２は機器の最大入力電流値Ｉ４及び機器の最大入力電流値の検出値Ｔ４と、入力電流が０の時の検出値及びあらかじめ設定されている固定値Ｔ５より入力電流値と検出値との関係を直線近似した従来の近似直線である。
【００３０】
Δ１は実際の関係線Ｌ０と従来の近似直線Ｌ２との同じ検出値での入力電流値の差をあらわした入力電流誤差である。
【００３１】
図３に示すように、第一近似直線Ｌ１は従来の近似直線Ｌ２と比較して実際の関係線Ｌ０との誤差が少ないのでより精度の高い入力電流制御ができる。
【００３２】
また、本実施の形態ではＩｉｎ調整モード制御手段１２はＩｉｎ調整モード中に入力端子１２ａから第二信号を入力すると入力電流制御手段１０に前記第二信号の指示に基づき入力電流を第一入力電流値Ｉ１より小さい第二入力電流値Ｉ２に変更させる。
【００３３】
その時に入力電流検知手段９が出力する第二の検出値Ｔ２を第二の記憶手段１４に記憶することに代え、インバータ回路８の動作が停止中に入力電流検知手段９が出力する第二の検出値Ｔ２ａを第二の記憶手段１４に記憶し、入力電流補正手段１１は第一入力電流値Ｉ１及び第一の検出値Ｔ１と第二入力電流値Ｉ２及び第二の検出値Ｔ２より入力電流値と検出値との関係を直線近似して補正後検出値Ｉ３を求めて前記検出値を設定値に対応した補正後検出値Ｉ３に補正することに代え、入力電流補正手段１１は第一入力電流値Ｉ１及び第一の検出値Ｔ１と０及びインバータ回路８の動作が停止中に入力電流検知手段９が出力する第二の検出値Ｔ２ａより入力電流値と前記検出値との関係を直線近似して補正後検出値Ｉ３を求めて前記検出値を前記設定値に対応した補正後検出値Ｉ３に補正するとしたことにより、前記第二信号を削除することができ作業の効率化を図ることができる。
【００３４】
また、本実施の形態の第一入力電流値Ｉ１を機器の最大入力電流値Ｉ４にすることにより、第一入力電流値Ｉ１と第二入力電流値Ｉ２の差を広くとることができ、第一入力電流値Ｉ１と第二入力電流値Ｉ２の差が狭い時と比べて総合的により精度よく入力電流を制御することができる。
【００３５】
また、入力電流検知手段９はカレントトランスとマイクロコンピュータで構成され、入力電流制御手段１０と入力電流補正手段１１と第一の記憶手段１３と第二の記憶手段１４とＩｉｎ調整モード制御手段１２はマイクロコンピュータで構成されたとしても同等の効果を得ることができる。
【産業上の利用可能性】
【００３６】
以上のように、本発明にかかる誘導加熱調理器は、指示された入力電力値を精度よく入力できるので、正確な入力電流値の制御が必要な他のインバータ回路を用いた機器などの、用途提供できるにも適用することが出来る。
【符号の説明】
【００３７】
１、３０  商用電源
２、３１  整流器
３  プリント配線基板
４  本体
５  天板
６  被加熱物
７、３５  加熱コイル
８  インバータ回路
９  入力電流検知手段
１０  入力電流制御手段
１１  入力電流補正手段
１２ａ、２６  入力端子
１２  Ｉｉｎ調整モード制御手段
１３  第一の記憶手段
１４  第二の記憶手段
Ｉ１  第一入力電流値
Ｔ１  第一の検出値
Ｉ２  第二入力電流値
Ｔ２  第二の検出値
Ｔ２ａ  インバータ回路８の動作が停止中に入力電流検知手段９が出力する第二の検出値
Ｔ３  検出値
Ｉ３  補正後検出値
Ｉ４  機器の最大入力電流値
Ｔ４  機器の最大入力電流値の検出値
Ｔ５  あらかじめ設定されている固定値
Ｌ２  従来技術で入力電流値と検出値との関係を直線近似した線（従来の近似直線）
ΔＩ  入力電流誤差
【図１】
2012248395.tif 000003
【図２】
2012248395.tif 000004
【図３】
2012248395.tif 000005
【図４】
2012248395.tif 000006